(57)【特許請求の範囲】
【請求項１】
外壁の下地材の屋外側に面材が張設され、その接続端面間に形成された目地にガスケットが挿入されてなる外壁の防水構造において、上記面材の内の一面材の裏側より、この一面材の両側に隣接する面材の目地側の端面に亘ってＬ形の防水材が設けられ、上記防水材と、一面材側の下地材、及び隣接する面材の目地側端面とがそれぞれ粘着材により接着され、前記ガスケットは、前記一面材側と前記防水材が隣接する面材側とに突出部を備え、一面材側では突出部は防水材に押圧されていないが、防水材が隣接する面材側では突出部は防水材のＬ形の立上げ部側に押圧されるようにして係止されて防水処理されていることを特徴とする外壁の防水構造。
【請求項２】
上記目地内において上記防水材の表面に粘着材が設けられていることを特徴とする請求項１記載の外壁の防水構造。
【発明の詳細な説明】
【０００１】
【発明の属する技術分野】
本発明は、外壁の防水構造に関する。
【０００２】
【従来の技術】
従来、建物の外壁におはいては、下地材の屋外側に面材が張設され、この面材間の接続部に目地が形成され、この目地にガスケットが挿入されて係止され、防水処理がなされている（実開昭５８−６４７１３号公報  参照）。
【０００３】
【発明が解決しようとする課題】
しかしながら、上記のようなガスケットのみによる目地の防水処理では、施工が完全に行われていないような場合、止水が完全でなく下地材側に水が浸透してくるといったことが起こる恐れがある。
特に、下地材に木質系の材料が起用されたような場合には、ガスケットによる防水処理に加えて、更なる付加防水処理を考慮して万全を期すことが必要となる。
【０００４】
本発明は、従来のこのような上記の問題点に着目してなされたものであり、その目的とするところは、これらの問題点を解消し、下地材に木質系の材料が用いられた場合であっても、下地材側に水が浸透してくるようなことがなく、防水が完全な外壁の防水構造を提供するものである。
【０００５】
【課題を解決するための手段】
請求項１記載の本発明の外壁の防水構造においては、外壁の下地材の屋外側に面材が張設され、その接続端面間に形成された目地にガスケットが挿入されてなる外壁の防水構造において、上記面材の内の一面材の裏側より、この一面材の両側に隣接する面材の目地側の端面に亘ってＬ形の防水材が設けられ、上記防水材と、一面材側の下地材、及び隣接する面材の目地側端面とがそれぞれ粘着材により接着され、前記ガスケットは、前記一面材側と前記防水材が隣接する面材側とに突出部を備え、一面材側では突出部は防水材に押圧されていないが、防水材が隣接する面材側では突出部は防水材のＬ形の立上げ部側に押圧されるようにして係止されて防水処理されていることを特徴とする。
【０００６】
更に、請求項２記載の本発明の外壁の防水構造においては、請求項１記載の外壁の防水構造において、上記目地内において上記防水材の表面に粘着材が設けられていることを特徴とする。
尚、防水材の表面に対しては粘着材は連続的に設けられても、不連続に設けられてもよい。
【０００７】
【作用】
請求項１記載の本発明の外壁の防水構造においては、一面材の裏側より、この一面材の両側に隣接する面材の目地側の端面に亘ってＬ形の防水材が設けられ、上記防水材と、一面材側の下地材、及び隣接する面材の目地側端面とが粘着材によりそれぞれ接着され、前記ガスケットは、前記一面材側と前記防水材が隣接する面材側とに突出部を備え、一面材側では突出部は防水材に押圧されていないが、防水材が隣接する面材側では突出部は防水材のＬ形の立上げ部側に押圧されるようにして係止されているので、下地材側に水が浸透することがなく、防水が完全に行われる。
【０００８】
又、請求項２記載の本発明の外壁の防水構造においては、上記請求項１記載の防水構造に加えて、上記目地内において上記防水材の表面に粘着材が設けられているので、この防水材にガスケットが接着することにより、ガスケットの脱落の防止が図れる。
【０００９】
【発明の実施の形態】
以下、本発明の実施の形態を図面を参照して説明する。
図１は、本発明の外壁の防水構造の一例を示す平断面図であり、図２は、図１のＡ部の詳細断面図である。
図１、及び図２において、外壁１０は、木質系のブロック状に一体化され、適宜間隔で配設された下地材１１と、この下地材１１の室内側に張設された内壁面材１２、及び縦方向に接続され、下地材１１の屋外側にネジにより張設された一面材１３、及びこの一面材１３に隣接する面材１４、１４により構成されている。
【００１０】
上記一面材１３と両側に隣接する面材１４、１４との縦方向の接続部には目地１５が形成され、この目地１５には、ガスケット１６が挿入されて係止されている。
【００１１】
又、一面材１３の裏側より、両側の隣接する面材１４、１４の目地１５側端面１４ａ、１４ａに亘ってＬ形の立上げ部１７ａ、１７ａを有する防水材１７、１７が設けられている。
この防水材１７は、厚さ０．３ｍｍのポリプロピレンを折り曲げて形成されている。
【００１２】
上記防水材１７と一面材１３が張設されている下地材１１とは、粘着材１８により接着され、又、一面材１３に隣接する面材１４、１４の目地１５、１５側の端面１４ａ、１４ａと上記立上げ部１７ａ、１７ａとも、粘着材１８ａ、１８ａにより粘着されている。
【００１３】
上記ガスケット１６は、図２に詳細構造を示すように、その一方側の突出部１６ａ、１６ａを一面材１３の端面に設けられた凹溝１３ａ、１３ａに嵌め込まれ、又、他方側に対向して設けられた上記同様の突出部１６ａ、１６ａは下記防水材１７の隣接する面材１４のＬ形の立上げ部１７ａ、１７ａ側に押圧されるようにして係止されている。
【００１４】
従って、本実施例の外壁１０の目地１５部は、上記ガスケット１６により止水されるとともに、防水材１７、及び立上げ部１７ａの裏側に設けられた粘着材１８、１８ａにより強固に粘着されているので、万が一ガスケット１６による止水に不備があっても、下地材１１への水の浸透が阻止され、完全な防水処理が確保される。
【００１５】
図３は、請求項２記載の本発明の外壁の防水構造の実施例を示す要部の断面図であり、上記実施例と同様の防水構造に加えて、目地内において、防水材１７の表面の露呈部１７ｂが粘着材１８ｂにより被覆され、粘着材１８ｂとガスケット１６が接着されている。
従って、より万全を期した目地１５部の止水構造が確保されるとともに、ガスケット１６の脱落の防止が図れる。
尚、上記実施の形態において、粘着材は非加硫ブチルゴムを使用している。
【００１６】
但し、この目地１５部の表側の露呈部１７ｂに対する粘着材１８ｂの被覆は、必ずしも必須要件となるものではなく、施工時の防水処理の不備や長年の経時後のメンテナンス等において、有効に活用されるものである。
【００１７】
【発明の効果】
請求項１記載の本発明の外壁の防水構造においては、一面材の裏側より、この一面材の両側に隣接する面材の目地側の端面に亘ってＬ形の防水材が設けられ、上記防水材と、一面材側の下地材、及び隣接する面材の目地側端面とが粘着材によりそれぞれ接着され、前記ガスケットは、前記一面材側と前記防水材が隣接する面材側とに突出部を備え、一面材側では突出部は防水材に押圧されていないが、防水材が隣接する面材側では突出部は防水材のＬ形の立上げ部側に押圧されるようにして係止されているので、下地材側に水が浸透することがなく、防水が完全に行われる。
【００１８】
又、請求項２記載の本発明の外壁の防水構造においては、上記請求項１記載の防水構造に加えて、上記目地内において上記防水材の表面に粘着材が設けられているので、この防水材にガスケットが接着することにより、ガスケットの脱落の防止が図れる。
従って、外壁の防水構造として好適である。
【図面の簡単な説明】
【図１】本発明の外壁の防水構造の一例を示す断面図。
【図２】図１のＡ部の詳細断面図。
【図３】請求項２記載の本発明の外壁の防水構造の一例を示す要部の断面図。
【符号の説明】
１０                              外壁
１１                              下地材
１２                              内壁面材
１３                              一面材
１４                              隣接する面材
１４ａ                            端面
１５                              目地
１６                              ガスケット
１７                              防水材
１７ａ                            立上げ部
１７ｂ                            露呈部
１８、１８ａ、１８ｂ              粘着材
【図１】
0003688388.tif 000002
【図２】
0003688388.tif 000003
【図３】
0003688388.tif 000004